(57)【要約】【課題】外部装置側に受信側へ電力を供給する特別な仕組みがなくても、伝送路を通じて到来する信号から電力を得ることのできる伝送路終端回路を提供する【解決手段】伝送路終端回路１０は、終端抵抗に代えて伝送路２の終端に接続される回路であり、伝送路２から到来する信号に応じて流れる電流から電力を回収する電力回収回路１１と、当該伝送路終端回路１０に流れる電流量を伝送路２側から見たインピーダンスが所定の終端抵抗値と等しくなるように制御するインピーダンス調整回路１２とを有する。電力回収回路１１は、ダイオードブリッジ回路やスイッチトキャパシタ回路などで構成され、インピーダンス調整回路１２は、たとえば、ＭＯＳＦＥＴなどの定電流素子と終端電圧ｖの分圧電圧を定電流素子の制御電圧として与える分圧回路とで構成される。【選択図】図１
2011188457.tif 000002
【特許請求の範囲】
【請求項１】
データ通信を行う伝送路の終端に接続される伝送路終端回路であって、
流れ込む電流から電力を回収する電力回収回路と、
当該伝送路終端回路に流れる電流量を前記伝送路側から見たインピーダンスが所定の終端抵抗値になるように制御するインピーダンス調整回路と、
を有する
ことを特徴とする伝送路終端回路。
【請求項２】
前記インピーダンス調整回路は、
当該伝送路終端回路に加わる電圧を検出する電圧検出部と、
当該伝送路終端回路に流れる電流を検出する電流検出部と、
前記電力回収回路に直列に接続された、電子的に抵抗値が制御される可変抵抗器と、
前記電流検出部によって検出された電流値＝前記電圧検出部によって検出された電圧値÷所定の終端抵抗値、となるように、前記可変抵抗器の抵抗値を制御するフィードバック回路と、
を有する
ことを特徴とする請求項１に記載の伝送路終端回路。
【請求項３】
前記インピーダンス調整回路は、
前記電力回収回路と直列に接続された、印加される制御電圧に応じた電流を流す定電流素子と、
当該伝送路終端回路に加わる電圧の分圧電圧を前記定電流素子の制御電圧として与える分圧回路と、
を有する
ことを特徴とする請求項１に記載の伝送路終端回路。
【請求項４】
前記電力回収回路に流れる電流の減少により前記インピーダンス調整回路によって前記伝送路側から見たインピーダンスを所定の終端抵抗値に調整できない場合に、前記電力回収回路を迂回させて電流を流すバイパス回路を有する
ことを特徴とする請求項１乃至３のいずれか１つに記載の伝送路終端回路。
【請求項５】
前記バイパス回路は、
前記電力回収回路と並列に接続された、電子的に抵抗値が制御される第２可変抵抗器と、
前記第２可変抵抗器の抵抗値が無限大となるように制御した状態で前記インピーダンス調整回路によって前記伝送路側から見たインピーダンスを所定の終端抵抗値に調整できる場合は前記第２可変抵抗器を抵抗値が無限大となるように制御し、前記状態で前記調整できない場合は、前記調整が可能となるように前記第２可変抵抗器の抵抗値を下げる制御回路と、
を有する
ことを特徴とする請求項１乃至３のいずれか１つに記載の伝送路終端回路。
【請求項６】
所定の終端抵抗値を有する固定抵抗器と、
前記インピーダンス調整回路と前記電力回収回路とを機能させて電力の回収を行う状態と、前記固定抵抗器のみが前記伝送路側から見たインピーダンスとなる状態とに切り替える切り替え回路と、
を有する
ことを特徴とする請求項１乃至５のいずれか１つに記載の伝送路終端回路。
【請求項７】
前記電力回収回路は、ダイオードブリッジの出力にコンデンサを接続した回路、もしくはスイッチトキャパシタ、もしくはチャージポンプを備えて構成される
ことを特徴とする請求項１乃至６のいずれか１つに記載の伝送路終端回路。
【請求項８】
前記電力回収回路は、スイッチトキャパシタもしくはチャージポンプを備えて構成され、
前記伝送路から受けるパルス信号を、スイッチトキャパシタもしくはチャージポンプを前記伝送路側と接続した状態と切り離した状態とに切り替えるための切り替え信号とした
ことを特徴とする請求項１乃至６のいずれか１つに記載の伝送路終端回路。
【請求項９】
伝送路を通じて信号を受信する受信回路と、
前記伝送路の終端に接続される請求項１乃至８のいずれか１つに記載の伝送路終端回路と、
前記伝送路終端回路によって回収した電力を蓄積する蓄電池と、
主電源と
省電力モードからの復帰を前記伝送路からの受信信号に基づいて判断する復帰判断回路と、
省電力モードになったとき、前記受信回路および前記復帰判断回路への電力供給源を前記主電源から前記蓄電池へ切り替える電源制御回路と、
を備える
ことを特徴とするデータ受信装置。
【請求項１０】
請求項９に記載のデータ受信装置と、
前記主電源から電力供給を受けて動作すると共に、前記データ受信装置で受信した画像データに基づく画像を記録紙上に形成する画像形成部と、
を有する
ことを特徴とする画像形成装置。
【発明の詳細な説明】
【技術分野】
【０００１】
本発明は、伝送路の終端に接続される伝送路終端回路およびこれを備えたデータ受信装置、画像形成装置に関する。
【背景技術】
【０００２】
一般に、伝送路の終端には、信号の反射を防止するために、終端抵抗が接続される。この終端抵抗で消費される電力は、熱に変換され、エネルギーとして使われることなく捨てられていた。特に、電圧が高く伝送路が複数で構成されるものでは、終端抵抗での電力消費が顕著であった。
【０００３】
ところで、省電力モード中にネットワークから到来する信号を監視して通常モードに復帰する装置では、省電力モード中であっても、自装置宛の信号が到来したか否かを監視して通常モードへの復帰の要否を判断する回路については、少なくとも稼動させておく必要がある。このため、通常は、省電力モード中でも該回路への電力供給を自装置の電源回路から行っていた。
【０００４】
また、外部から供給される電力を省電力モード中に利用する技術として、たとえば、通信コネクタ内にネットワークの信号線と給電線とがある場合に、その給電線を通じて外部から供給される電源を降圧して省電力モード中の電源として利用する電子機器が提案されている（たとえば、特許文献１参照。）。
【０００５】
このほか、外部から伝送路を通じて電力を供給する方法としては、電話回線のように電力を信号と同一伝送路に重畳させて供給する方法や、Power over Ether技術のように２系統の伝送路間に電圧をかけて電力を供給する方法などが知られている。
【先行技術文献】
【特許文献】
【０００６】
【特許文献１】特開２００７−２７８６６号公報
【発明の概要】
【発明が解決しようとする課題】
【０００７】
上記のように、従来は、伝送路を通じて外部から電力供給を受けるためには、外部装置側にも電力を供給するための仕組みが必要であり、かかる仕組みのない通信方式の場合、待機中や省電力モード中に復帰信号を監視する回路などへの電力供給を自装置の電源回路でまかなわなければならなかった。
【０００８】
本発明は、上記の問題を解決しようとするものであり、外部装置側に受信側へ電力を供給する特別な仕組みがなくても、伝送路を通じて到来する信号から電力を得ることのできる伝送路終端回路およびこれを備えたデータ受信装置、画像形成装置を提供することを目的としている。
【課題を解決するための手段】
【０００９】
かかる目的を達成するための本発明の要旨とするところは、次の各項の発明に存する。
【００１０】
［１］データ通信を行う伝送路の終端に接続される伝送路終端回路であって、
流れ込む電流から電力を回収する電力回収回路と、
当該伝送路終端回路に流れる電流量を前記伝送路側から見たインピーダンスが所定の終端抵抗値になるように制御するインピーダンス調整回路と、
を有する
ことを特徴とする伝送路終端回路。
【００１１】
上記発明では、伝送路から到来する信号によって流れる電流から電力回収回路によって電力を回収すると共に、インピーダンス調整回路により、電力回収回路のインピーダンスが電力回収に伴って変動しても、伝送路側からみたインピーダンスが所定の終端抵抗値になるように制御する。すなわち、終端抵抗としての機能を果たしつつ、従来の終端抵抗では熱として消費されていた電力を電力回収回路で回収する。
【００１２】
［２］前記インピーダンス調整回路は、
当該伝送路終端回路に加わる電圧を検出する電圧検出部と、
当該伝送路終端回路に流れる電流を検出する電流検出部と、
前記電力回収回路に直列に接続された、電子的に抵抗値が制御される可変抵抗器と、
前記電流検出部によって検出された電流値＝前記電圧検出部によって検出された電圧値÷所定の終端抵抗値、となるように、前記可変抵抗器の抵抗値を制御するフィードバック回路と、
を有する
ことを特徴とする［１］に記載の伝送路終端回路。
【００１３】
上記発明では、インピーダンス調整回路は、伝送路終端回路に加わる電圧ｖと伝送路終端回路に流れる電流ｉとを検出し、ｉ＝ｖ÷終端抵抗値、の関係が維持されるように、電力回収回路に直列に接続された可変抵抗器の抵抗値を制御する。
【００１４】
［３］前記インピーダンス調整回路は、
前記電力回収回路と直列に接続された、印加される制御電圧に応じた電流を流す定電流素子と、
当該伝送路終端回路に加わる電圧の分圧電圧を前記定電流素子の制御電圧として与える分圧回路と、
を有する
ことを特徴とする［１］に記載の伝送路終端回路。
【００１５】
上記発明では、ＭＯＳＦＥＴなどの定電流素子を電力回収回路と直列に接続し、伝送路終端回路に加わる電圧の分圧電圧を定電流素子の制御電圧として与える。
【００１６】
［４］前記電力回収回路に流れる電流の減少により前記インピーダンス調整回路によって前記伝送路側から見たインピーダンスを所定の終端抵抗値に調整できない場合に、前記電力回収回路を迂回させて電流を流すバイパス回路を有する
ことを特徴とする［１］乃至［３］のいずれか１つに記載の伝送路終端回路。
【００１７】
上記発明では、蓄電量が増加して電力回収回路に流れる電流が減少すると、インピーダンス調整回路のインピーダンスをゼロにしても、伝送路終端回路に終端抵抗値相当の電流を流すことができなくなる。そこで、インピーダンス調整回路の調整範囲を超える場合には、バイパス回路を作用させて電力回収回路を迂回して電流を流すことで、インピーダンス調整回路で調整可能な状態にし、伝送路側から見た伝送路終端回路のインピーダンスが終端抵抗値になるように制御する。
【００１８】
［５］前記バイパス回路は、
前記電力回収回路と並列に接続された、電子的に抵抗値が制御される第２可変抵抗器と、
前記第２可変抵抗器の抵抗値が無限大となるように制御した状態で前記インピーダンス調整回路によって前記伝送路側から見たインピーダンスを所定の終端抵抗値に調整できる場合は前記第２可変抵抗器を抵抗値が無限大となるように制御し、前記状態で前記調整できない場合は、前記調整が可能となるように前記第２可変抵抗器の抵抗値を下げる制御回路と、
を有する
ことを特徴とする［１］乃至［３］のいずれか１つに記載の伝送路終端回路。
【００１９】
上記発明では、インピーダンス調整回路で調整可能な場合には、バイパス回路に電流が流れないようにして、電力回収効率の低下を防止し、インピーダンス調整回路の調整範囲を超える場合にのみ、バイパス回路側に電流を流すように制御する。
【００２０】
［６］所定の終端抵抗値を有する固定抵抗器と、
前記インピーダンス調整回路と前記電力回収回路とを機能させて電力の回収を行う状態と、前記固定抵抗器のみが前記伝送路側から見たインピーダンスとなる状態とに切り替える切り替え回路と、
を有する
ことを特徴とする［１］乃至［５］のいずれか１つに記載の伝送路終端回路。
【００２１】
上記発明では、切り替え回路は、インピーダンス調整回路と電力回収回路とを機能させて電力の回収を行う状態と、これらを機能させずに、伝送路の終端に固定抵抗器のみが接続された状態とを切り替える。たとえば、高速な応答性が要求される場合には固定抵抗器のみ接続された状態にし、高速な応答性よりも電力回収を優先したい場合にはインピーダンス調整回路と電力回収回路とを機能させて電力の回収を行う状態に切り替える。このように、目的に応じた動作を行うことができる。
【００２２】
［７］前記電力回収回路は、ダイオードブリッジの出力にコンデンサを接続した回路、もしくはスイッチトキャパシタ、もしくはチャージポンプを備えて構成される
ことを特徴とする［１］乃至［６］のいずれか１つに記載の伝送路終端回路。
【００２３】
上記発明では、電力回収回路は、流れ込む電流（電荷）をコンデンサに蓄積しつつ、コンデンサ側から伝送路側への電流の逆流を防ぐことで電力を回収する。
【００２４】
［８］前記電力回収回路は、スイッチトキャパシタもしくはチャージポンプを備えて構成され、
前記伝送路から受けるパルス信号を、スイッチトキャパシタもしくはチャージポンプを前記伝送路側と接続した状態と切り離した状態とに切り替えるための切り替え信号とした
ことを特徴とする［１］乃至［６］のいずれか１つに記載の伝送路終端回路。
【００２５】
上記発明では、伝送路から受けるパルス信号を、スイッチトキャパシタもしくはチャージポンプを伝送路側と接続した状態と切り離した状態とに切り替えるための切り替え信号に使用することで、切り替え信号発生用のクロックを別途容易する必要がなく、また、充電と放電とを適切なタイミングで切り替えることができる。
【００２６】
［９］伝送路を通じて信号を受信する受信回路と、
前記伝送路の終端に接続される［１］乃至［８］のいずれか１つに記載の伝送路終端回路と、
前記伝送路終端回路によって回収した電力を蓄積する蓄電池と、
主電源と
省電力モードからの復帰を前記伝送路からの受信信号に基づいて判断する復帰判断回路と、
省電力モードになったとき、前記受信回路および前記復帰判断回路への電力供給源を前記主電源から前記蓄電池へ切り替える電源制御回路と、
を備える
ことを特徴とするデータ受信装置。
【００２７】
上記発明のデータ受信装置では、伝送路終端回路によって回収した電力を、省電力モードにおいて、該省電力モードからの復帰を伝送路からの受信信号に基づいて判断する復帰判断回路の動作電力として供給する。
【００２８】
［１０］［９］に記載のデータ受信装置と、
前記主電源から電力供給を受けて動作すると共に、前記データ受信装置で受信した画像データに基づく画像を記録紙上に形成する画像形成部と、
を有する
ことを特徴とする画像形成装置。
【発明の効果】
【００２９】
本発明に係る伝送路終端回路およびこれを備えたデータ受信装置、画像形成装置によれば、伝送路終端回路は、終端抵抗としての役割を果たしつつ伝送路を通じて送られてくる信号から電力を回収するので、外部装置側に電力を受信側へ供給するための特別な仕組みがなくても伝送路を通じて電力を得ることができる。
【図面の簡単な説明】
【００３０】
【図１】本発明の実施の形態に係る伝送路終端回路の基本構成を示すブロック図である。
【図２】ダイオードブリッジの出力にコンデンサを接続して構成された電力回収回路を示す回路図である。
【図３】スイッチトキャパシタ回路を利用した電力回収回路を示す回路図である。
【図４】図３に示す回路の充電時の状態を示す説明図である。
【図５】図３に示す回路の放電時の状態を示す説明図である。
【図６】電子的に抵抗値を制御可能な可変抵抗器によってインピーダンスを調整するインピーダンス調整回の構成例を示す回路図である。
【図７】図６に示す回路の可変抵抗器における制御電圧と抵抗値との関係を示す特性図である。
【図８】定電流素子を使用したインピーダンス調整回路の構成例を示す回路図である。
【図９】図１に示す伝送路終端回路にバイパス回路を付加した伝送路終端回路の構成例を示す回路図である。
【図１０】抵抗値が固定の抵抗器と電子的に抵抗値を制御できる可変抵抗器とを直列接続したものを副終端抵抗とする場合を示す説明図である。
【図１１】本発明に係る伝送路終端回路を備えた画像形成装置の概略構成を示すブロック図である。
【図１２】復帰判断回路の構成および動作を示す説明図である。
【図１３】リンクバイパス回路を示すブロック図である。
【図１４】待機時に伝送路終端回路の電源をＯＦＦしている場合に、ＰＣ側からダミーパケットを送信し、このダミーパケットから電力回収して復帰に必要な電力を回収する復帰シーケンスを示す説明図である。
【図１５】正負電圧に対応するインピーダンス調整回路の構成例を示す回路図である。
【図１６】図１５に示す回路の可変抵抗器における制御電圧と抵抗値との関係を示す特性図である。
【図１７】正負電圧に対応するインピーダンス調整回路（定電流素子を使用）の構成例を示す回路図である。
【発明を実施するための形態】
【００３１】
以下、図面に基づき本発明の実施の形態を説明する。
【００３２】
図１は、本発明の実施の形態に係る伝送路終端回路１０の基本構成を示すブロック図である。伝送路終端回路１０は、終端抵抗に代えて伝送路２の終端に接続される回路であり、終端抵抗としての機能と、伝送路２を通じて到来する信号から電力を回収する機能を果たす。伝送路２の終端には、該伝送路２を通じて到来する信号を受信する受信回路２０が、伝送路終端回路１０と並列に接続される。
【００３３】
伝送路終端回路１０は、伝送路２からの信号の到来に応じて流れ込む電流から電力を回収する電力回収回路１１と、当該伝送路終端回路１０に流れる電流量を伝送路２側から見たインピーダンスが所定の終端抵抗と等しい値（終端抵抗値）になるように制御するインピーダンス調整回路１２とを備えて構成される。電力回収回路１１によって回収された電力は、電力回収回路１１の出力端１３から電力利用側（たとえば、受信回路２０や蓄電池など）へ出力される。
【００３４】
伝送路２の終端における電位差（電圧）をｖ、当該伝送路終端回路１０に流れる電流をｉ、とした場合に、ｉ＝ｖ÷所定の終端抵抗値  の関係が成立するように電流ｉがインピーダンス調整回路１２によって制御される。これにより、伝送路終端回路１０は、終端抵抗としての機能を果たしつつ、電力回収を行う。
【００３５】
次に、電力回収回路１１の構成例を説明する。
【００３６】
電力回収回路１１は、流れ込む電流ｉを蓄電池に蓄積しつつ、蓄電池側から伝送路２側への電流の逆流を防ぐ機能を備えた回路であればよく、たとえば、図２に示すダイオードブリッジ回路、図示省略のチャージポンプ回路、図３に示すスイッチトキャパシタ回路などで構成することができる。
【００３７】
図２は、ダイオードブリッジ３１の出力にコンデンサ３２を接続して構成された電力回収回路１１（１１ａ）を示している。
【００３８】
図３は、スイッチトキャパシタ回路を利用した電力回収回路１１（１１ｂ）の構成例を示している。充電時には、スイッチ３４Ａが閉じかつスイッチ３４Ｂが開いて、図４（ａ）、（ｂ）に示す状態が形成される。これにより充電時は、出力段以外のコンデンサ３５が電力回収側と並列に接続され、出力段のコンデンサ３６は電力回収側から切り離され、出力段以外のコンデンサ３５には電力回収側から電流ｉが流れ込み、電荷が蓄積される。
【００３９】
放電時には、スイッチ３４Ａが開きかつスイッチ３４Ｂが閉じて、図５（ａ）、（ｂ）に示す状態が形成される。これにより、電力回収回路１１（１１ｂ）は電力回収側から切り離され、かつまた各段のコンデンサ３５は直列に接続され昇圧回路となって出力段のコンデンサ３６に接続される。
【００４０】
このように、電力回収回路１１ｂは、充電時は出力側（電力利用側、）が切り離され、放電時は入力側（電力回収側）が切り離され、入出力間が絶縁されているので、入出力間のグラウンドレベルが違う場合にも使用することができる。
【００４１】
なお、伝送路２から到来する信号がパルス信号である場合には、このパルス信号からスイッチトキャパシタなどの駆動クロック信号（スイッチ３４Ａおよびスイッチ３４Ｂを開閉するための切り替え信号）を生成する。これにより、電力回収回路１１において駆動クロック信号用の発振回路を備える必要がなく、より少ない消費電力で電力回収することができる。
【００４２】
次に、インピーダンス調整回路１２の構成例を説明する。
【００４３】
電力回収回路１１は、蓄電池（コンデンサ３２、３５）の蓄電量や内部回路の非抵抗成分などによりインピーダンスや逆起電力が変化する。そのため、インピーダンス調整回路１２を設けて、伝送路２側から見たインピーダンスを一定（所定の終端抵抗値）に維持する。
【００４４】
図６は、電子的に抵抗値を制御可能な可変抵抗器によってインピーダンスを調整するインピーダンス調整回路１２（１２ａ）の構成例を示している。インピーダンス調整回路１２ａは、伝送路終端回路１０に加わる電圧を検出する電圧検出部と、伝送路終端回路１０に流れる電流を検出する電流検出部と、電力回収回路１１に直列に接続された電子的に抵抗値が制御される可変抵抗器４２と、電流検出部によって検出された電流値＝電圧検出部によって検出された電圧値÷所定の終端抵抗値、となるように、可変抵抗器の抵抗値を制御するフィードバック回路と、から構成される。
【００４５】
より詳細には、インピーダンス調整回路１２ａは、電流検出用の第１抵抗器４１と、電子的に抵抗値が制御される可変抵抗器４２と、第１抵抗器４１に流れる電流量を第１抵抗器４１（第１抵抗器４１の抵抗値をＲ１とする）の両端の電位差に基づいて検出する第１の差動増幅器４３と、伝送路２の終端に介挿された分圧抵抗器４４と、伝送路２の終端の電位差（電圧ｖ）を分圧抵抗器４４の分圧比率で分圧して得た電圧（ｖａ）と第１抵抗器４１の両端の電位差（第１の差動増幅器４３の出力電圧）とが等しくなるように可変抵抗器４２の抵抗値を制御する第２の差動増幅器４５とを備えている。
【００４６】
第１抵抗器４１と可変抵抗器４２と電力回収回路１１は直列に接続されて伝送路２の終端に介挿されている。分圧抵抗器４４は、伝送路２の終端に、第１抵抗器４１と可変抵抗器４２と電力回収回路１１を直列に接続した回路と、並列に接続されている。第１抵抗器４１と第１の差動増幅器４３は伝送路終端回路１０に流れる電流を検出する電流検出部としての機能を果たす。分圧抵抗器４４は伝送路終端回路１０に加わる電圧ｖ（実際には電圧ｖに比例した電圧ｖａ）を検出する電圧検出部としての機能を果たす。第２の差動増幅器４５は、可変抵抗器４２の抵抗値を制御するフィードバック回路としての機能を果たす。
【００４７】
伝送路２の終端に、インピーダンス調整回路１２ａと電力回収回路１１とを直列にして介挿することで、電力回収回路１１の状態にかかわらず所定の終端抵抗値Ｒ＝ｖ／ｉの関係が保たれ、伝送路２側からみれば固定抵抗のような特性としつつ、到来する信号から電力を回収することができる。
【００４８】
図６に示すインピーダンス調整回路１２ａでは、第２の差動増幅器４５の出力は、電流ｉがｖ／Ｒよりも大きくなると（すなわち、Ｒ１×ｉ＞ｖａのとき）正、小さくなると（すなわち、Ｒ１×ｉ＜ｖａのとき）負になるため、可変抵抗器４２の制御電圧に対する抵抗値の特性は、図７に示すようなものを使用する。なお、インピーダンス調整回路１２ａは、応答速度を高めるために、集積回路化することが望ましい。
【００４９】
図８は、定電流素子を使用したインピーダンス調整回路１２（１２ｂ）の一例を示している。インピーダンス調整回路１２ｂは、印加される制御電圧に応じた電流を流す定電流素子５１と、伝送路２から当該伝送路終端回路１０に加わる電圧ｖを所定の比率で分圧しその分圧電圧を定電流素子５１の制御電圧として与える分圧回路（分圧抵抗器）５２を備えて構成される。定電流素子５１は、伝送路の終端に、電力回収回路１１と直列に接続して介挿される。
【００５０】
定電流素子５１はＦＥＴ（Field Effect Transistor）などで構成される。定電流素子５１は、制御電圧と流れる電流値とが比例するような定電流特性（リニアな特性）を有するものが好ましいが、終端抵抗値が許容される変動幅に収まる範囲において非線形性を備えてもかまわない。定電流素子５１はＦＥＴに限定されるものではない。
【００５１】
インピーダンス調整回路１２ｂでは、定電流素子５１に流れる電流が、電圧ｖを分圧回路５２の分圧比で分圧した電圧値に比率した電流値となるように、定電流素子５１に定電流動作を行なわせる。これにより電力回収回路１１の状態によらず、終端抵抗値Ｒ＝ｖ／ｉ、の関係が保たれる。定電流素子５１の特性を利用した簡素な構成のため、図６の示す回路構成よりも消費電力が少なく、また周波数応答の点で優れている。
【００５２】
ところで、蓄電量が増加して電力回収回路１１の逆起電力が増えてくると、電力回収回路１１を流れる電流が小さくなりすぎ、インピーダンス調整回路１２の調整範囲を超えてしまう(インピーダンス調整回路１２の抵抗値を０にしても所望の電流が流れない)。そこで、インピーダンス調整回路１２の調整範囲を超えることがないように、電力回収回路１１を流れる電流が小さくなりすぎた場合に電力回収回路１１を迂回して電流を流すバイパス回路を設ける。バイパス回路によって迂回させる電流量は、インピーダンス調整回路１２の調整範囲を超えない範囲で、少なくなるように制御することが好ましい。
【００５３】
図９は、図１に示す伝送路終端回路１０にバイパス回路を付加した伝送路終端回路１０ｂの構成例を示している。バイパス回路は、電力回収回路１１に並列に接続された、電子的に抵抗値Ｒ２が制御される第２可変抵抗器６１と、インピーダンス調整回路１２の両端の電位差からインピーダンス調整回路１２に流れる電流量を検出する第３の差動増幅回路６２とを備えている。そして、第３の差動増幅回路６２の出力電圧を制御電圧として第２可変抵抗器６１に与えて、第２可変抵抗器６１の抵抗値Ｒ２を、インピーダンス調整回路１２の両端の電位差ｖ１に比例するように制御する。
【００５４】
かかるバイパス回路を設けた伝送路終端回路１０ｂでは、電力回収回路１１に流れる電流ｉ１が小さくなると、ｖ１も小さくなり、その結果、第２可変抵抗器６１の抵抗値Ｒ２が小さくなる方向に制御されて第２可変抵抗器６１に流れる電流ｉ２が増加し、インピーダンス調整回路１２の調整範囲に収める(インピーダンス調整回路１２の抵抗値が０に近くなることを防ぐ)ことができる。
【００５５】
なお、インピーダンス調整回路１２の調整範囲で、終端抵抗値Ｒ＝ｖ／ｉ、の関係を形成できるときは第２可変抵抗器６１の抵抗値を無限大に制御し、この状態ではインピーダンス調整回路１２の調整範囲で、終端抵抗値Ｒ＝ｖ／ｉ、の関係を形成できなくなる場合のみ、第２可変抵抗器６１の抵抗値を無限大から上記の関係が成立し得る大きさまで下げるように制御することが好ましい。以後、第２可変抵抗器６１のように電力回収回路１１を迂回させた電流を流す抵抗器を副終端抵抗と呼ぶものとする。
【００５６】
バイパス回路は、図９に示す構成に限定されず、たとえば、固定抵抗値の副終端抵抗を設け、該副終端抵抗を通常時は切り離しておき、この切り離した状態ではインピーダンス調整回路１２の調整範囲で、終端抵抗値Ｒ＝ｖ／ｉ、の関係を形成できなくなる場合にのみ副終端抵抗を、電力回収回路１１と並列に接続する、あるいは電力回収回路１１に代えて接続する、といった構成でもかまわない。
【００５７】
バイパス回路を設けても、バイパス回路が無い場合と同様に、電流iの大きさはインピーダンス調整回路１２によって電圧vに比例するように制御されるため、伝送路終端回路１０全体としてインピーダンスは一定に保たれる。
【００５８】
また、たとえば、図１０に示すように、図９の第２可変抵抗器６１に代えて、抵抗値が固定の抵抗器６３と電子的に抵抗値を制御できる可変抵抗器６４とを直列接続したものを副終端抵抗として接続するように構成してもよい。抵抗器６３の抵抗値を所望の終端抵抗値とし、可変抵抗器６４の抵抗値をゼロに制御することで、通常の抵抗器として動作させることができ、可変抵抗器６４の非線形特性の影響を小さくすることができる。
【００５９】
さらにインピーダンス調整回路１２の抵抗値をゼロにし、電力回収回路１１の抵抗値を無限大にし、可変抵抗器６４の抵抗値をゼロにする終端抵抗モードを設けるとよい。終端抵抗モードでは、伝送路２側から見たインピーダンスが抵抗器６３のみとなる状態、すなわち、通常の固定抵抗器を用いた終端抵抗と同等の回路が形成される。終端抵抗モードは高速通信や多値を用いる通信の場合など、少しでも信号歪みを小さくしたい場合に有効である。
【００６０】
インピーダンス調整回路１２と電力回収回路１１を機能させて電力回収を行う電力回収モードと、電力回収は行わず終端抵抗としての機能のみを果たす終端抵抗モードとの切り替えは、外部からの制御信号で行う構成としてもよいし、蓄電量に応じて切り替える構成としてもよい。たとえば、１０００Ｂａｓｅ−Ｔは信号がアナログ的な波形であり、非線形性の影響を受け易いので、１０００Ｂａｓｅ−Ｔで通信する場合は電力回収をやめて終端抵抗モードで動作させるとよい。また、蓄電量を監視し、蓄電量が所定量以下の場合は電力回収モードにし、蓄電量が所定量を超える場合は終端抵抗モードに自動的に切り替える切り替え回路を設ける構成でもよい。
【００６１】
なお、図１、図６、図９などに示す伝送路終端回路と、所望の終端抵抗値を有する固定抵抗器と、伝送路２の終端に伝送路終端回路を接続するか、固定抵抗器を接続するかを切り替える切り替え回路とを備えたものを切替機能付きの伝送路終端回路とし、伝送路の終端に図１、図６、図９などに示す伝送路終端回路を接続して電力回収を行う状態と、固定抵抗器のみを接続して終端抵抗としてのみ機能する状態とを切り替え回路によって切り替えるように構成されてもよい。
【００６２】
図１１は、伝送路終端回路１０を備えた画像形成装置７０の概略構成を示している。画像形成装置７０は、原稿を光学的に読み取ってその複製画像を記録紙に印刷するコピージョブ、読み取った原稿の画像データをファイルにして保存したり外部端末へネットワークを通じて送信したりするスキャンジョブ、外部端末からネットワークを通じて受信した印刷データに係る画像を記録紙上に形成して出力する印刷ジョブなどを実行する装置である。
【００６３】
画像形成装置７０は、当該画像形成装置７０の動作を統括制御する主制御回路７１を備えている。主制御回路７１には、スキャナ部７２と、プリンタ部（画像形成部）７３と、操作表示部７４と、画像処理部７５と、ハードディスク装置（ＨＤＤ）７６と、通信部７８が接続されている。通信部７８に接続される伝送路２の終端には、伝送路終端回路１０が接続されている。
【００６４】
通信部７８は、受信用の伝送路２から到来する信号を受信する受信回路２０と復帰判断回路８０とを備えた受信部８１と、送信用伝送路を通じて外部装置へ信号を送信する送信回路８２を備えている。このほか、画像形成装置７０は、電源関係として、商用電源等から得た電力を供給する主電源８３と、伝送路終端回路１０によって回収した電力が蓄電される蓄電池８４と、受信部８１に主電源８３からの電源ラインを接続するか否かを切り替える切り替えスイッチ８５と、切り替えスイッチ８５の開閉を制御する電源制御回路８６とを備えている。
【００６５】
主制御回路７１は、ＣＰＵ（Central Processing Unit）とＲＯＭ（Read Only Memory）とＲＡＭ（Random Access Memory）等を主要部として構成される。ＲＯＭには各種のプログラムが格納されており、これらのプログラムに従ってＣＰＵが処理を実行することにより画像形成装置７０としての各機能にかかわる制御が行われる。ＲＡＭはＣＰＵがプログラムを実行する際に各種のデータを一時的に格納するワークメモリや画像データを格納する画像メモリ、送受信に係るデータを一時的に保存する通信バッファなどとして使用される。
【００６６】
スキャナ部７２は、原稿を光学的に読み取って画像データを取得する機能を果たす。スキャナ部７２は、たとえば、原稿に光を照射する光源と、その反射光を受けて原稿を幅方向に１ライン分読み取るラインイメージセンサと、ライン単位の読取位置を原稿の長さ方向に順次移動させる移動手段と、原稿からの反射光をラインイメージセンサに導いて結像させるレンズやミラーなどからなる光学経路、ラインイメージセンサの出力するアナログ画像信号をデジタルの画像データに変換する変換部などを備えて構成される。
【００６７】
プリンタ部７３は、画像データに応じた画像を記録紙に印刷する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。他の方式のプリンタであっても構わない。
【００６８】
操作表示部７４は、各種の操作画面、設定画面などを表示する機能およびユーザから各種の操作を受け付ける機能を果たす操作表示部７４は、たとえば、液晶ディスプレイなどで構成された表示部と、その画面上に設けられて押下された座標位置を検出するタッチパネルやテンキーや文字入力キー、スタートキーなどの操作部を備えて構成される。
【００６９】
画像処理部７５は、画像の拡大縮小、回転、圧縮・伸張などを行う。ハードディスク装置７６は、大容量かつ不揮発の記憶装置であり、画像データなどが保存される。
【００７０】
画像形成装置７０において、たとえば、コピージョブは、スキャナ部７２によって原稿画像を光学的に読み取って画像データを取得し、この画像データに基づく印刷をプリンタ部７３で行うことによって実現される。印刷ジョブは、外部端末から伝送路２を通じて送られてくる印刷データを受信部８１にて受信し、この受信した印刷データを主制御回路７１においてラスタライズしてイメージデータに展開し、このイメージデータに基づく印刷をプリンタ部７３で行うことで実現される。
【００７１】
画像形成装置７０は、消費電力を少なく抑える省電力モードを有し、主制御回路７１は、ジョブの実行やデータ受信、操作表示部７４からの操作などのない状態が所定時間以上継続すると、通常モードから省電力モードへ移行するように切り替える。
【００７２】
また、ここでは、通信部７８はＥｔｈｅｒｎｅｔ(登録商標)に対応しており、ＩＥＥＥ（(Institute of Electrical and Electronic Engineers)８０２．３ａｚの省電力技術を想定し、省電力モード移行時には１０Ｂａｓｅ−Ｔ相当に通信速度が落ちているものとして説明する。なお、伝送路終端回路としては通信速度に特に依存することはない。Ｅｔｈｅｒｎｅｔは差動信号であるため、終端抵抗は正負電圧に対応する必要がある。正負電圧に対応した伝送路終端回路１０の構成例については後述する。
【００７３】
通常モードでは、切り替えスイッチ８５が閉成され、各部への電力供給は主電源８３から行われる。また、主電源８３から蓄電池８４への充電も行われる。このとき、伝送路終端回路１０は伝送路２から電力を回収して蓄電池８４への充電を保持することもできる。
【００７４】
省電力モードでは、基本的に、電源制御回路８６は切り替えスイッチ８５を開くことで、受信部８１および伝送路終端回路１０など、受信データの監視に必要な回路部分を主電源８３から切り離し、これらへの電力供給を蓄電池８４から行うように切り替える。また、省電力モードでは、主制御回路７１は、電力消費のほとんどない低消費電力モードで動作し、復帰判断回路８０からの復帰信号や操作表示部７４からの復帰信号を待ち受ける機能は稼動するが、他の動作は行わない状態になる。省電力モードでは、操作表示部７４は表示を消灯する。さらに、スキャナ部７２、プリンタ部７３、画像処理部７５、ハードディスク装置７６、送信回路８２への電力供給を停止するようになっている。
【００７５】
省電力モードにおいて伝送路終端回路１０は、伝送路２から信号が入ってきた場合にそれを電力として回収し、蓄電池８４に充電する。受信回路２０と復帰判断回路８０は受信データを解析し、復帰が必要と判断した場合は主制御回路７１に対して復帰信号を送る。
【００７６】
主制御回路７１は、復帰信号を受け取ると受信データを判定し、必要であれば、電源制御回路８６によって各部に電力を供給させ、通常モードへ復帰するように制御する。
【００７７】
なお、省電力モードの状態で蓄電池８４の容量（充電量）が所定量以下に減少してきた場合は、電源制御回路８６は、主電源８３から切り離していた部分を、切り替えスイッチ８５を閉じて接続し、充電が完了した後に再び切り離すように制御してもよい。
【００７８】
また、蓄電池８４の容量が減少してきた場合に主電源８３を再び接続することをせず、伝送路終端回路１０と受信部８１をＯＦＦ状態にするように構成してもよい。この場合、伝送路終端回路１０がＯＦＦの状態でも終端抵抗として動作するためには、（１）伝送路終端回路１０を、伝送路２の信号以外に動作電力を必要としない構成、もしくは、（２）電源ＯＦＦ時には動作電力を必要としない回路に切り替わる構成、にすればよい。
【００７９】
たとえば、上記（１）とするには、電力回収回路１１を、図２に示すダイオードブリッジを使用した電力回収回路１１ａとし、またインピーダンス調整回路１２を図８に示す定電流素子を使用する回路とすればよい。上記（２）とするには、電源ＯＮ時は前述した電力回収モードで動作し、電源ＯＦＦ時は終端抵抗モードとなるような回路、たとえば、図１、図６、図９などに示す電力回収機能を備えた伝送路終端回路１０と、固定の終端抵抗器と、伝送路２の終端に伝送路終端回路１０を接続するか終端抵抗器を接続するかを切り替える切り替えスイッチとを備え、電源ＯＦＦ時に該スイッチが終端抵抗器を伝送路に接続する状態となるような回路とすればよい。
【００８０】
さらに、装置の運用上、受信データを判断しない期間は正規の値の終端抵抗として動作する必要が無い場合には、インピーダンス調整回路１２を、通常時より終端抵抗値が、伝送路および回路の安全上許される範囲まで小さくなるように設定することで、より多くの電力を伝送路から取り出すように構成することもできる。すなわち、受信データを判断しない期間では受信信号の波形が崩れても、当該装置としては問題ないので、あとは、伝送路および回路の安全上許される範囲で終端抵抗値を小さくすることで電力回収回路に流れ込む電流量を増加させて、充電効率を高めることができる。
【００８１】
次に、復帰判断回路８０について説明する。
【００８２】
１０Ｂａｓｅ−Ｔではマンチェスタ符号を用いているが、マンチェスタ復号回路では、通常、信号周波数の数倍のクロックで信号をサンプリングしなければならず、高周波駆動となって消費電力が大きくなってしまう問題がある。そこで、ここでは、マンチェスタ符号はパルス幅が長短２種類になることに着目し、クロック発生回路を用意することなく、低消費電力な復帰判断回路８０を用いる。
【００８３】
図１２は、復帰判断回路８０の概略構成とその動作の概要を示している。復帰判断回路８０は、パルス幅計測部９１と、ウェイクアップパターンレジスタ９２と、パルス幅シフトレジスタ９３と、パターン比較部９４とを備えている。
【００８４】
パルス幅計測部９１は、受信したパルス信号のパルス幅が所定値より長いか短いかを識別する。たとえば、受信したパルス信号によってコンデンサを充電し、パルス信号の開始エッジから終端エッジまでの間の充電電位が所定の閾値を超えた場合は長いパルス信号、超えない場合は短いパルス信号であると識別する。判別信号９５として、たとえば、長いパルスと識別した場合は１を、短いパルスと識別した場合は０を、パルス幅シフトレジスタ９３の入力側へ出力する。
【００８５】
また、パルス幅計測部９１は、判別信号９５に同期して、１ｂｉｔシフトさせるためのクロック９６をパルス幅シフトレジスタ９３へ出力する。たとえば、受信したマンチェスタ符号のエッジをシフト用のクロック９６に用いる。さらに、受信信号が上限値を超える長さの場合は信号なしと判断してリセット信号９７をパルス幅シフトレジスタ９３へ出力する。
【００８６】
ウェイクアップパターンレジスタ９２には、自分宛ての信号であることを判別するための予め定めた復帰用ビットパターンが主制御回路７１からロードされる。パルス幅シフトレジスタ９３は、パルス幅計測部９１から入力される判別信号９５をパルス幅計測部９１から入力されるクロック９６にしたがって順次シフトさせて蓄積する。パターン比較部９４はウェイクアップパターンレジスタ９２が記憶している復帰用ビットパターンとパルス幅シフトレジスタ９３に蓄積されたビットパターンとを比較し、全ビット一致したとき、復帰信号を出力する。
【００８７】
このような構成により、高周波クロックを必要とせず、復帰判断回路８０の消費電力を少なく抑えることができる。
【００８８】
なお、ウェイクアップパターンレジスタ９２およびパターン比較部９４を複数セット用意すれば、複数の復帰用ビットパターンに対応することができる。
【００８９】
かかる復帰判断回路８０を使用して復帰する場合には、主制御回路７１は、復帰信号によって復帰したのち、パルス幅シフトレジスタ９３の内容を受け取り、これに続いて受信される信号と連結する手順が必要になる。なお、復帰用ビットパターンが固定の場合には、パルス幅シフトレジスタ９３の内容を受け取る代わりに、既知の復帰用ビットパターンと、その後に受信される信号とを連結するようにしてもよい。
【００９０】
また、図１２に示すような復帰判断回路８０を用いなくとも、伝送路２から取り出せる電力量が受信回路２０の消費電力を十分上回っている場合には、受信回路２０は通常モードと同様の受信処理をし、自分宛のパケットを判断し、主制御回路７１に復帰信号を送るように構成されてもよい。
【００９１】
次に、伝送路終端回路１０による蓄電量の見積りを、Ｅｔｈｅｒｎｅｔの１０Ｂａｓｅ−Ｔで試算した場合について例示する。１０Ｂａｓｅ−Ｔでは、１００Ω終端時の受信端電圧の最低値を２．２Ｖ〜２．８Ｖ程度と定めている。信号を２．２Ｖの矩形波であると考えると、時間あたり取り出せる電力は２．２Ｖ２／１００Ω／２＝２４．２ｍＷである。
【００９２】
これは連続してデータが流れている状態であるのでパケットあたりの電力は理論上２４．２ｍＷ×（パケット時間）である。１０Ｂａｓｅ−ＴではＮバイトのパケット時間はＮ×８００ｎｓになるため、Ｎバイトのパケットにて取り出せる電力はＮ×２４．２ｍＷ／ｓ×８００ｎｓ＝Ｎ×１９．３６ｎＷである。例えば１５００ｂｙｔｅｓのパケットでは、最大で２９．０４μＷの電力を取り出せる。仮に１０Ｂａｓｅ−Ｔのパルスを、常時、間断なく受信した場合には、１秒あたり２４．２ｍＷの電力を取り出せる可能性がある。
【００９３】
次に、省電力モード時にネットワークとのリンクを維持する方法を示す。
【００９４】
Ｅｔｈｅｒｎｅｔのスイッチングハブのように、ポートごとにリンク状態を検出し、リンクが確立できていないポートには信号を送出しない仕組みを持ったものがある。このような場合には、リンク維持のためにリンクパルスを定期的に出力する必要があるが、伝送路から伝送路終端回路１０によって回収する電力のみでは、リンクパルス送信のための電力をまかないきれない可能性がある。そのような場合のために、図１３に示すように、受信装置側が受信するリンクパルスをそのまま伝送路に送り返すリンクバイパス回路を備えるようにしてもよい。
【００９５】
リンクバイパス回路は、受信側の伝送路と送信側の伝送路との間に介挿されるバイパススイッチ１０１と、バイパススイッチ１０１の開閉を制御するリンクバイパス制御部１０２を備えている。リンクバイパス制御部１０２は、パイパススイッチ１０１を、受信信号が一定時間ない場合にＯＮ（閉）にし、受信信号または受信パルスが１パルスだけ通過した後、ＯＦＦ(開)にする。１パルスのみ通過させることで、リンクパルスでないパケットを受信した場合に受信パケットがそのまま送信側に送り返されることを防ぐことができ、同時に残りの部分から伝送路終端回路１０によって電力を回収することができる。なお、リンクパルスではない通常の信号の場合、同期用のパルスが複数ｂｉｔ分先頭に付加されるので、リンクバイパス回路によって最初の１ｂｉｔが欠落しても問題は生じない。
【００９６】
また受信部もしくは伝送路終端回路１０にて、バイパススイッチがＯＮ（閉）の期間は終端抵抗を無限大に近く設定することで、相手側装置の送信側から見た終端抵抗値を、定常時と同じように見せることができる。すなわち、バイパススイッチがＯＮ（閉）の期間は、相手側装置の受信端が伝送路の終端になるので、相手側装置の受信端が正規の終端抵抗を備えていれば、その終端抵抗にて終端される。
【００９７】
次に、省電力モード中に、蓄電池８４の容量が少なくなって受信部８１および伝送路終端回路１０の電源をＯＦＦした場合の復帰方法について説明する。
【００９８】
この場合、待機電力をほぼ０にできるという利点があるが、受信データの判断ができないため、復帰のために必要な部分を動作させる電力を伝送路から回収する必要がある。そこで、図１４に示すように、画像形成装置７０に対してデータを送信するパーソナルコンピュータなどの端末装置１２０側から、利用開始のパケットの送信に先立ってダミーパケットを所定時間送信し続け（Ｐ１）、このダミーパケットから電力を回収することで画像形成装置７０側の受信部８１が動作可能となった後に、利用開始のパケットを送信する（Ｐ２）、という手順を実行する機能を設ける。
【００９９】
さらに、利用開始パケットを送出しても画像形成装置７０からの応答が無い場合は、端末装置１２０からダミーパケットの送出を何回か再試行するように構成してもよい。また、画像形成装置７０の復帰条件となり、かつ画像形成装置７０からの応答を要求するようなデータでダミーパケット自体を構成し、端末装置１２０側が、ダミーパケットを画像形成装置７０から応答があるまで送出し続けるという手順を採用してもよい。すなわち、画像形成装置７０では、繰り返し到来するダミーパケットによって伝送路終端回路１０が充電を行い、充電量が増加して動作可能になると復帰判断回路８０がダミーパケットを受信してその内容から復帰要を判断し、送信回路から復帰応答を端末装置１２０に対して送信する、というように動作する。
【０１００】
この場合、ある程度の応答タイムアウト期間を設け、応答タイムアウト期間内に画像形成装置７０から応答が無い場合にはダミーパケットの送出を中止するように構成することが望ましい。これにより、たとえば、画像形成装置７０側の故障や伝送路の障害などに応答がない場合に、ダミーパケットの送信が際限なく継続されることが防止される。
【０１０１】
次に、正負電圧に対応した伝送路終端回路１０の構成例について説明する。Ｅｔｈｅｒｎｅｔなどの伝送路では伝送される信号が差動信号であるため、終端抵抗は正負電圧に対応する必要がある。図１５は、図６の回路を正負電圧に対応するようにした場合の回路例である。図６と同一部分には同一の符号を付してその説明は省略する。図１５の回路は、図６の第１抵抗器４１と第１の差動増幅器４３に代えて電流検出部１４０を、図６の分圧抵抗器４４に代えて電圧検出部１５０を備えている。図１５に示す回路では、電圧と電流を符号付きで判定し、電流の向きで可変抵抗部の特性を切り替えるようにしてある。詳細には、電流検出部１４０の出力Ｖｉはｉ×Ｒに比例する値になるように回路定数を選んでおき、｜Ｖｉ｜＞｜ｖ｜であれば抵抗値を増やす方向、｜Ｖｉ｜＜｜ｖ｜であれば減らす方向に可変抵抗器４２が変化し、ｖ／ｉを一定に制御するフィードバックループを形成している。図１６は、可変抵抗器４２の抵抗値とその制御電圧との関係を示している。
【０１０２】
図１７は、図８の定電流素子を使用した回路を正負電圧に対応するようにした場合の回路例である。電流制御素子としてＭＯＳＦＥＴなどを利用した場合には寄生ダイオードの働きで逆方向電流は電流制限を受けない。これを利用すれば、正負電圧に対応するインピーダンス調整回路は、図１７に示すように、極性の異なる定電流素子（電流制御素子）５１、５３を直列に接続した構成で対応することができる。
【０１０３】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１０４】
たとえば、画像形成装置７０においては、ネットワークがＥｔｈｅｒｎｅｔである場合を例に説明したが、伝送路終端回路１０が対象とする伝送路はこれに限定されるものではなく、終端抵抗を必要とする各種の伝送路に適用することができる。
【０１０５】
伝送路終端回路１０を組み込む装置は、画像形成装置７０に限定されず、スキャナ部７２やプリンタ部（画像形成部）７３などを具備しない構成のデータ受信装置であってもよい。
【符号の説明】
【０１０６】
２…伝送路
１０、１０ｂ…伝送路終端回路
１１、１１ａ、１１ｂ…電力回収回路
１２、１２ａ、１２ｂ…インピーダンス調整回路
１３…出力端
２０…受信回路
３１…ダイオードブリッジ
３２…コンデンサ
３４Ａ、３４Ｂ…スイッチ
３５、３６…コンデンサ
４１…第１抵抗器
４２…可変抵抗器
４３…第１の差動増幅器
４４…分圧抵抗器
４５…第２の差動増幅器
５１、５３…定電流素子
５２…分圧回路（分圧抵抗器）
６１…第２可変抵抗器
６２…第３の差動増幅回路
６３…抵抗器
６４…可変抵抗器
７０…画像形成装置
７１…主制御回路
７２…スキャナ部
７３…プリンタ部（画像形成部）
７４…操作表示部
７５…画像処理部
７６…ハードディスク装置（ＨＤＤ）
７８…通信部
８０…復帰判断回路
８１…受信部
８２…送信回路
８３…主電源
８４…蓄電池
８５…切り替えスイッチ
８６…電源制御回路
９１…パルス幅計測部
９２…ウェイクアップパターンレジスタ
９３…パルス幅シフトレジスタ
９４…パターン比較部
９５…判別信号
９６…クロック
９７…リセット信号
１０１…バイパススイッチ
１０２…リンクバイパス制御部
１２０…端末装置
１４０…電流検出部
１５０…電圧検出部
【図１】
2011188457.tif 000003
【図２】
2011188457.tif 000004
【図３】
2011188457.tif 000005
【図４】
2011188457.tif 000006
【図５】
2011188457.tif 000007
【図６】
2011188457.tif 000008
【図７】
2011188457.tif 000009
【図８】
2011188457.tif 000010
【図９】
2011188457.tif 000011
【図１０】
2011188457.tif 000012
【図１１】
2011188457.tif 000013
【図１２】
2011188457.tif 000014
【図１３】
2011188457.tif 000015
【図１４】
2011188457.tif 000016
【図１５】
2011188457.tif 000017
【図１６】
2011188457.tif 000018
【図１７】
2011188457.tif 000019